(57)【要約】【課題】本発明の目的は、核酸分析デバイスにおいて、波長５００ｎｍ付近の励起光照射により蛍光色素から発生する蛍光を高精度に検出することに関する。【解決手段】本発明は、光照射により局在型表面プラズモンが発生する金属体を有する核酸分析デバイスにおいて、当該金属体の材料が、ルテニウム，イリジウム，パラジウム、又はロジウムのいずれかから選ばれる金属、若しくはこれらの合金であることに関する。これらの金属は、波長５００ｎｍ付近の光に対して効率よく局在型表面プラズモンを発生させる。また、これらの金属は、極めて小さなイオン化傾向を有し、化学的に非常に安定であるため、反応液中での長時間使用が可能となる。本発明により、波長５００ｎｍ付近の光を用いて、高効率、且つ安定に核酸を蛍光測定することができる。【選択図】  図１
2010243223.tif 000002
【特許請求の範囲】
【請求項１】
光照射により局在型表面プラズモンが発生する金属体を有する支持基体を備え、
前記局在型表面プラズモンの発生する空間に試料中の核酸を配置し、該核酸を蛍光測定により分析する核酸分析デバイスであって、
前記金属体が、ルテニウムにより構成されている核酸分析デバイス。
【請求項２】
光照射により局在型表面プラズモンが発生する金属体を有する支持基体を備え、
前記局在型表面プラズモンの発生する空間に試料中の核酸を配置し、該核酸を蛍光測定により分析する核酸分析デバイスであって、
前記金属体が、イリジウムにより構成されている核酸分析デバイス。
【請求項３】
光照射により局在型表面プラズモンが発生する金属体を有する支持基体を備え、
前記局在型表面プラズモンの発生する空間に試料中の核酸を配置し、該核酸を蛍光測定により分析する核酸分析デバイスであって、
前記金属体が、パラジウムにより構成されている核酸分析デバイス。
【請求項４】
光照射により局在型表面プラズモンが発生する金属体を有する支持基体を備え、
前記局在型表面プラズモンの発生する空間に試料中の核酸を配置し、該核酸を蛍光測定により分析する核酸分析デバイスであって、
前記金属体が、ロジウムにより構成されている核酸分析デバイス。
【請求項５】
光照射により局在型表面プラズモンが発生する金属体を有する支持基体を備え、
前記局在型表面プラズモンの発生する空間に試料中の核酸を配置し、該核酸を蛍光測定により分析する核酸分析デバイスであって、
前記金属体が、ルテニウム，イリジウム，パラジウム，ロジウム、及び白金の２つ以上からなる合金により構成されている核酸分析デバイス。
【請求項６】
請求項１から５のいずれかに記載の核酸分析デバイスにおいて、
前記局在型表面プラズモンを発生させる前記光照射の波長が３００から７００ｎｍであることを特徴とする核酸分析デバイス。
【請求項７】
請求項１から５のいずれかに記載の核酸分析デバイスにおいて、
前記支持基体上に複数の前記金属体が向き合って存在し、
前記金属体が向き合った空間に光照射により局在型表面プラズモンが発生し、
前記空間と前記支持基体との間に前記金属体とは異なる第二の金属が存在し、
前記第二の金属に、試料中の前記核酸を分析するためのプローブが配置されることを特徴とする核酸分析デバイス。
【請求項８】
請求項１から５のいずれかに記載の核酸分析デバイスにおいて、
前記支持基体上に複数の金属体が向き合って存在し、
前記金属体が向き合った空間に光照射により局在型表面プラズモンが発生し、
前記空間と前記支持基体との間に絶縁体が存在し、
前記絶縁体に、試料中の核酸を分析するためのプローブが配置されることを特徴とする核酸分析デバイス。
【請求項９】
請求項７又は８のいずれかに記載の核酸分析デバイスにおいて、
前記プローブが、核酸またはタンパク質から選ばれる一つ以上の高分子であることを特徴とする核酸分析デバイス。
【請求項１０】
請求項７から９のいずれかに記載の核酸分析デバイスにおいて、
前記プローブが、単分子であることを特徴とする核酸分析デバイス。
【請求項１１】
請求項７から１０のいずれかに記載の核酸分析デバイスにおいて、
前記複数の向き合った金属体が、前記支持基体上にアレイ状に配置されていることを特徴とする核酸分析デバイス。
【請求項１２】
請求項７から１１のいずれかに記載の核酸分析デバイスにおいて、
前記複数の金属体の間隔が１５ｎｍ以下であることを特徴とする核酸分析デバイス。
【請求項１３】
請求項１から１２のいずれかに記載の核酸分析デバイスを用いる核酸分析装置であって、
核酸分析デバイスに対して、ヌクレオチド，蛍光色素を有するヌクレオチド，核酸合成酵素，プライマ、及び核酸試料からなる１種類以上の生体分子を供給する手段と、
前記核酸分析デバイスに光を照射する手段と、
前記核酸分析デバイス上において前記ヌクレオチド，前記蛍光色素を有するヌクレオチド，前記核酸合成酵素，前記プライマ、及び前記核酸試料からなる１種類以上の生体分子が共存することにより起きる核酸伸長反応により核酸鎖中に取り込まれた蛍光色素の蛍光を測定する蛍光検出手段と、を備え、
前記核酸試料の塩基配列情報を取得することを特徴とする核酸分析装置。
【発明の詳細な説明】
【技術分野】
【０００１】
本発明は、核酸分析デバイス及び核酸分析装置に関する。
【背景技術】
【０００２】
核酸分析デバイスとして、ＤＮＡやＲＮＡの塩基配列を決定する新しい技術が開発されてきている。
【０００３】
現在、通常用いられている電気泳動を利用した方法においては、配列決定用のＤＮＡ断片又はＲＮＡ試料から逆転写反応を行い合成したｃＤＮＡ断片試料を予め調製し、周知のサンガー法（ジデオキシ法）による塩基伸長反応を実行した後、電気泳動を行い、分子量分離展開パターンを計測して解析する。
【０００４】
これに対し、近年、「P.N.A.S. 2003，Vol. 100, pp. 3960-3964.（非特許文献１）」にあるように、基板にＤＮＡなどを固定してその塩基配列を決定する方法が提案されている。分析すべき試料ＤＮＡ断片を１分子ずつ、基板表面のランダムな位置に捕捉し、ほぼ１塩基ずつ伸長させて、その結果を蛍光計測より検出することにより塩基配列を決定するものである。具体的には、まず、ＤＮＡポリメラーゼの基質として鋳型ＤＮＡに取り込まれてＤＮＡ鎖伸長反応を保護基の存在により停止することができ、且つ、検出され得る標識を持つ４種のｄＮＴＰの誘導体（ＭｄＮＴＰ）を用いてＤＮＡポリメラーゼ反応を行わせる工程を実施する。次いで取り込まれたＭｄＮＴＰを蛍光等で検出する工程、及びＭｄＮＴＰを伸長可能な状態に戻す工程を実施する。これら３工程を１サイクルとし、該サイクルを繰り返すことにより、試料ＤＮＡの塩基配列を決定する。本技術では、基板上の複数の位置で並行して反応と蛍光発光を進行させることにより、同時に数多くのＤＮＡ断片を解析することができ、解析スループットを大きくすることができる。また、本方式では、単一ＤＮＡ分子のまま塩基配列が決定できるため、従来技術の問題であったクローニングやＰＣＲ等での試料ＤＮＡの増幅，精製が不要であり、ゲノム解析や遺伝子診断の迅速化が期待できる。
【０００５】
基板上における伸長反応を用いて塩基配列を解析する場合、非特許文献１で開示された方式に代表されるような、一塩基伸長反応・未反応基質の洗浄・計測を一サイクルとした、いわば、逐次反応方式のものが一般的である。単一ＤＮＡ分子毎に塩基配列を解析する場合、プローブＤＮＡ上の、一塩基伸長反応によってＤＮＡ二本鎖中に取り込まれたヌクレオチドに付随した蛍光色素一分子の蛍光を計測することになる。しかし、通常の蛍光測定では、プローブＤＮＡ上に捕捉された蛍光分子とその近傍に浮遊している未反応のヌクレオチドに付随している蛍光色素を識別することはできない。そのため、一塩基ずつ伸長したところで、未反応基質を洗浄することが不可欠であった。この洗浄工程が入ることにより、基板上に複雑な流路や送液装置及び廃液処理装置を形成する必要があること、反応試薬も大量に消費してしまうこと、さらに、トータルの解析に必要な反応時間も長くなるという問題があった。
【０００６】
未反応基質を洗浄することなく、プローブＤＮＡ上に捕捉された蛍光色素一分子と未反応基質の蛍光分子とを識別するためには、プローブＤＮＡ上に捕捉された蛍光色素からの蛍光強度が大きく、浮遊する色素からの強度が小さい条件を作り出さねばならない。
【０００７】
このような課題に対して「Physical Review Letters 2006，vol. 96，pp. 113002-113005.（非特許文献２）」に開示されているような、蛍光増強の利用が考えられる。金属体に光を照射すると、局在型表面プラズモンにより金属体表面近傍に増強された光近接場が発生する。この時、この光近接場の中に存在する蛍光分子の発光強度が増強する蛍光増強という現象が知られている。
【先行技術文献】
【非特許文献】
【０００８】
【非特許文献１】P.N.A.S. 2003, Vol. 100, pp. 3960-3964.
【非特許文献２】Physical Review Letters 2006，vol. 96，pp. 113002-113005
【非特許文献３】Anal. Chem. 2006, vol. 78, pp. 6238-6245
【非特許文献４】Anal. Chem. 2007, vol. 79, pp. 6480-6487
【非特許文献５】Nano Letters. 2004, vol.4, 957-961
【非特許文献６】P.N.A.S. 2006, vol. 103, pp 19635-19640
【非特許文献７】P.N.A.S. 2008, vol. 105, pp 1176-1181
【非特許文献８】P.N.A.S. 2008, vol. 105, pp 91459150
【発明の概要】
【発明が解決しようとする課題】
【０００９】
本願発明者が、単一ＤＮＡ分子の蛍光標識等からの微弱な蛍光の検出について鋭意検討した結果、次の知見を得るに至った。
【００１０】
蛍光標識を用いた生体分子の分析、特に、上述のような核酸分析においては、以下のような理由により、励起光として波長３００〜７００ｎｍの範囲内、特に波長５００ｎｍ付近の光を用いることが望ましい。
（１）一般的な蛍光色素の励起波長は３００〜７００ｎｍ程度である。この範囲以外の励起波長を持つ色素は存在するものの、量子収率，標識の容易さ，製造入手の容易さ，安定性等の理由により、励起波長３００〜７００ｎｍ程度の蛍光色素を使用することが望ましい。
（２）蛍光分子の発光を検出する素子として主に用いられるＣＣＤの分光感度特性は、一般に５００〜６００ｎｍにピークを持つ。この範囲に蛍光波長のピークを持つ一般的な蛍光色素の励起波長は４００〜５６０ｎｍ程度である。
（３）複数の蛍光色素を区別して利用する為には、発光波長の選択性の問題から、蛍光色素選択の幅はより狭まり、波長５００ｎｍ付近の励起光利用が必須である。核酸分析においては４種の塩基（Ａ，Ｔ，Ｇ，Ｃ）を識別する必要があり、特に重要である。
【００１１】
しかし、非特許文献２には、局在型表面プラズモンによる蛍光増強を生じる金属として金が開示されているが、金の局在型表面プラズモンの最適な励起波長は７００ｎｍ前後であり、波長５００ｎｍ付近ではその蛍光増強効果は非常に小さい。
【００１２】
本発明の目的は、核酸分析デバイスにおいて、波長５００ｎｍ付近の励起光照射により蛍光色素から発生する蛍光を高精度に検出することに関する。
【課題を解決するための手段】
【００１３】
本発明は、光照射により局在型表面プラズモンが発生する金属体を有する核酸分析デバ
イスにおいて、当該金属体の材料が、ルテニウム，イリジウム，パラジウム、又はロジウムのいずれかから選ばれる金属、若しくはこれらの合金であることに関する。これらの金属は、波長５００ｎｍ付近の光に対して効率よく局在型表面プラズモンを発生させる。また、これらの金属は、極めて小さなイオン化傾向を有し、化学的に非常に安定であるため、反応液中での長時間使用が可能となる。
【発明の効果】
【００１４】
本発明により、波長５００ｎｍ付近の光を用いて、高効率、且つ安定に核酸を蛍光測定
することができる。例えば、プローブＤＮＡ等に捕捉された蛍光色素からの蛍光強度を増強し、浮遊する蛍光色素からの背景光強度とのコントラストを大きくすることにより、プローブＤＮＡ上に捕捉された蛍光色素一分子と未反応基質の蛍光分子とを識別し、塩基伸長反応を計測する核酸分析デバイスを提供できる。
【図面の簡単な説明】
【００１５】
【図１】本実施例における核酸分析デバイスの概略図。
【図２】本実施例における核酸分析デバイスの概略図。
【図３】核酸分析デバイスの製造方法の一例を説明するためのフロー図。
【図４】核酸分析デバイスの製造方法の一例を説明するためのフロー図。
【図５】核酸分析デバイスを使用形態の一例を説明するため概略図。
【図６】核酸分析デバイスの効果の計算結果。
【図７】核酸分析デバイスを用いた核酸分析装置の一例を説明するための概略図。
【発明を実施するための形態】
【００１６】
本実施例では、発光測定により試料中の核酸を分析する核酸分析デバイスであって、支持基体を備え、支持基体に接してナノ構造体が存在するものを開示する。光照射により金属体の近傍に局在型表面プラズモンを発生する１つまたは複数の金属体、および試料中の核酸を分析するためのプローブを含むナノ構造体も開示する。プローブが、表面プラズモンの発生部位に配置され、金属体の材料が、ルテニウム，イリジウム，パラジウム，ロジウムのいずれかから選ばれる金属、またはこれらの合金であることも開示する。
【００１７】
また、本実施例では、蛍光測定により試料中の核酸を分析する核酸分析デバイス開示する。検出機器の光学フィルタを組み合わせることにより、２色以上の蛍光を同時に検出することができる。
【００１８】
また、本実施例では、プローブが、核酸またはタンパク質から選ばれる一つ以上の高分子である核酸分析デバイスを開示する。核酸または核酸合成酵素などのタンパク質は、測定対象である核酸を取り込む際の特異性が高く、測定対象のみを特異的に測定することができる。
【００１９】
また、本実施例では、ナノ構造体とプローブを含む反応サイトを、支持基体上にアレイ状に配置した核酸分析デバイスを開示する。支持基体上の任意の反応サイトのみを分析すれば良いため、分析装置の構成を簡略化することができる。
【００２０】
また、本実施例では、反応サイト１つに含まれるプローブが単分子である核酸分析デバイスを開示する。測定対象の核酸に対する増幅工程が不要であるため、解析時間を短縮することができる。
【００２１】
また、本実施例では、核酸分析デバイスに対して、ヌクレオチド，蛍光色素を有するヌクレオチド，核酸合成酵素，プライマ及び核酸試料からなる１種類以上の生体分子を供給する手段と、核酸分析デバイスに光を照射する手段と、核酸分析デバイス上においてヌクレオチド，蛍光色素を有するヌクレオチド，核酸合成酵素，プライマ及び核酸試料からなる１種類以上の生体分子が共存することにより起きる核酸伸長反応により核酸鎖中に取り込まれた蛍光色素の蛍光を測定する蛍光検出手段とを備え、核酸試料の塩基配列情報を取得する核酸分析装置を開示する。局在型表面プラズモンによる増強効果より、高感度検出に必要な高価な光学部材が不要となる。
【００２２】
また、本実施例では、ナノ構造体が、支持基体上で向き合って存在する複数の金属体を含み、光照射により金属体が向き合った空間に局在型表面プラズモンが発生し、この空間と支持基体との間に金属体とは異なる第二の金属が存在し、第二の金属上に、試料中の核酸を分析するためのプローブを有する核酸分析デバイスを開示する。金属体を構成する金属と第二の金属との反応性の差を用いて、測定のためのプローブを第二の金属上に特異的に配置することができる。
【００２３】
また、本実施例では、ナノ構造体が、支持基体上で向き合って存在する複数の金属体を含み、光照射により金属体が向き合った空間に局在型表面プラズモンが発生し、この空間と支持基体との間に絶縁体が存在し、絶縁体上に、試料中の核酸を分析するためのプローブを有する核酸分析デバイスを開示する。金属体を構成する金属と絶縁体との反応性の差を用いて、測定のためのプローブを絶縁体上に特異的に配置することができる。
【００２４】
また、本実施例では、向き合って存在する金属体間の距離が１５ｎｍ以下であることを開示する。金属体間の距離を小さくすることにより、局在型プラズモンによる増強効果を高めることができる。また、測定のためのプローブ固定領域を小さくすることができ、単分子のみが固定化された金属体の割合を高めることができる。
【００２５】
また、本実施例では、光照射により局在型表面プラズモンが発生する金属体を有する支持基体を備え、局在型表面プラズモンの発生する空間に試料中の核酸を配置し、該核酸を蛍光測定により分析する核酸分析デバイスにおいて、金属体が、ルテニウムにより構成されていることを開示する。
【００２６】
また、本実施例では、光照射により局在型表面プラズモンが発生する金属体を有する支持基体を備え、局在型表面プラズモンの発生する空間に試料中の核酸を配置し、該核酸を蛍光測定により分析する核酸分析デバイスにおいて、金属体が、イリジウムにより構成されていることを開示する。
【００２７】
また、本実施例では、光照射により局在型表面プラズモンが発生する金属体を有する支持基体を備え、局在型表面プラズモンの発生する空間に試料中の核酸を配置し、該核酸を蛍光測定により分析する核酸分析デバイスにおいて、金属体が、パラジウムにより構成されていることを開示する。
【００２８】
また、本実施例では、光照射により局在型表面プラズモンが発生する金属体を有する支持基体を備え、局在型表面プラズモンの発生する空間に試料中の核酸を配置し、該核酸を蛍光測定により分析する核酸分析デバイスにおいて、金属体が、ロジウムにより構成されていることを開示する。
【００２９】
また、本実施例では、光照射により局在型表面プラズモンが発生する金属体を有する支持基体を備え、局在型表面プラズモンの発生する空間に試料中の核酸を配置し、該核酸を蛍光測定により分析する核酸分析デバイスにおいて、金属体が、ルテニウム，イリジウム，パラジウム，ロジウム、及び白金の２つ以上からなる合金により構成されていることを開示する。
【００３０】
また、本実施例では、局在型表面プラズモンを発生させる光照射の波長が３００から７００ｎｍであること核酸分析デバイスを開示する。
【００３１】
また、本実施例では、支持基体上に複数の金属体が向き合って存在し、金属体が向き合った空間に光照射により局在型表面プラズモンが発生し、該空間と支持基体との間に前記金属体とは異なる第二の金属が存在し、該第二の金属に、試料中の核酸を分析するためのプローブが配置される核酸分析デバイスを開示する。
【００３２】
また、本実施例では、支持基体上に複数の金属体が向き合って存在し、金属体が向き合った空間に光照射により局在型表面プラズモンが発生し、該空間と支持基体との間に絶縁体が存在し、該絶縁体に、試料中の核酸を分析するためのプローブが配置される核酸分析デバイスを開示する。
【００３３】
また、本実施例では、プローブが、核酸またはタンパク質から選ばれる一つ以上の高分子である核酸分析デバイスを開示する。
【００３４】
また、本実施例では、プローブが、単分子である核酸分析デバイスを開示する。
【００３５】
また、本実施例では、複数の向き合った金属体が、支持基体上にアレイ状に配置されている核酸分析デバイスを開示する。
【００３６】
また、本実施例では、複数の金属体の間隔が１５ｎｍ以下である核酸分析デバイスを開示する。
【００３７】
また、本実施例では、核酸分析デバイスに対して、ヌクレオチド，蛍光色素を有するヌクレオチド，核酸合成酵素，プライマ、及び核酸試料からなる１種類以上の生体分子を供給する手段と、核酸分析デバイスに光を照射する手段と、核酸分析デバイス上においてヌクレオチド，蛍光色素を有するヌクレオチド，核酸合成酵素，プライマ、及び核酸試料からなる１種類以上の生体分子が共存することにより起きる核酸伸長反応により核酸鎖中に取り込まれた蛍光色素の蛍光を測定する蛍光検出手段と、を備え、核酸試料の塩基配列情報を取得する核酸分析装置を開示する。
【００３８】
以下、上記及びその他の本発明の新規な特徴と効果について、図を参照して説明する。ここでは、本発明を完全に理解してもらうため、特定の実施形態について詳細な説明を行うが、本発明はここに記した内容に限定されるものではない。また、各実施例は適宜組み合わせることが可能であり、当該組み合わせ形態についても本願明細書は開示している。
【実施例１】
【００３９】
図１を用い、本実施例における核酸分析デバイスを説明する。
【００４０】
プローブに補足された蛍光色素と未反応基質の蛍光分子とを識別するためには、大きく分けて、プローブに補足された蛍光色素と、浮遊する未反応基質の蛍光色素に照射される光の強度を変えるか、あるいは、プローブに補足された蛍光色素だけ輻射過程を効率よく起こるようにする必要がある。本実施例は、後者の考え方に基づくものであり、「Physical Review Letters 2006，96，pp 113002-113005（非特許文献２）」に報告されているように、局在型表面プラズモンが、分子の光吸収による電子遷移と励起一重項から基底状態への輻射遷移の両方の確率を高めるという物理現象に基づくものである。局在型表面プラズモンの蛍光増強効果は、数倍から数十倍程度と見込むことができる。
【００４１】
また、「Nano Letters. 2004，vol.4，957-961(非特許文献５）」では、三角柱状の金属体が近接すると、その間の空間に、強力な局在型表面プラズモンが発生することが示されている。三角柱間の距離が近いほど強力な局在型表面プラズモンを発生する。しかし、非特許文献５に開示されている金属体の構造では、局在型表面プラズモンが発生する空間に、測定のためのプローブを特異的に配置することは難しい。特に、プローブを所定の箇所に１分子のみ固定することは不可能に近い。
【００４２】
本実施例の核酸分析デバイスでは、支持基体１０４上において三角柱に類した金属体１０５が向き合っており、その間の空間１０６が、局在型表面プラズモンによる蛍光増強場となっている。局在型表面プラズモンが発生する空間１０６と支持基体１０４の間には、三角柱を構成する金属とは異なる第二の金属１０７が配置され、この第二の金属１０７にプローブ１０１が固定されている。これにより、強力な局在型表面プラズモンが生成し、かつ、局在型表面プラズモン発生部位近傍の空間１０６にプローブ１０１を固定化しうる。そして、プローブ１０１に取り込まれた蛍光色素１０２だけが蛍光増強の恩恵を受け、浮遊する未反応基質の蛍光色素１０３とは数倍から数十倍以上の蛍光強度の差がもたらされる。また、半導体や配線基板の製造に用いられている薄膜プロセスを活用して製造できる構造であり、安価に製造できる。
【００４３】
光がもたらす電場によって金属中により大きな反分極場（光による印加電場とは反対の位相を持つ電場）ができることが強力な局在型表面プラズモン形成につながるため、金属体１０５の材料は、より絶対値の大きな負の複素誘電率実部を持つ金属が好ましく、具体的にはルテニウム，ロジウム，イリジウム，パラジウムが好ましい。これらの金属は、波長５００ｎｍ付近の光に対して効率よく局在型表面プラズモンを発生する。また、これらの金属は極めて小さなイオン化傾向を有し化学的に非常に安定であるため、反応液中での長時間使用が可能となる。または、金属体１０５として、ルテニウム，ロジウム，イリジウム，パラジウムを含む合金を用いることにより、特性を改良できる。例えば、ロジウム５０％を含むイリジウム・ロジウム合金を用いることにより、金属体の酸化耐性を高められる。白金ロジウムも酸化に対する安定性を高めることができる。または、金属体１０５として、ルテニウム，ロジウム，イリジウム，パラジウムを含む複数種の金属薄膜を積層することもできる。
【００４４】
第二の金属１０７としては、金属体１０５表面との化学的な性質の差を用いて、プローブ１０１を特異的に固定化できるものであれば特に制限はない。また、適した官能基を選択し、それを第二の金属に付与するか、あるいはプローブ１０１内の官能基と前記官能基またはこれを反応基点として、さらに修飾が施された官能基を反応させることにより所望のプローブ１０１を固定化しても良い。この様な金属体１０５と第二の金属１０７の組み合わせとしては、金属体１０５が、ルテニウム，ロジウム，イリジウム，パラジウム、また、これらの合金であれば、第二の金属１０７は、チタン，ニッケル，クロム，鉄，コバルト，カドミウム，アルミニウム，ガリウム，インジウム，ジルコニア，ニオブ，ハフニウム，タンタルから選ばれる少なくとも１種類以上の金属、また、これらの合金が挙げられる。または、ＩＴＯなどの導電性の酸化膜を用いても良い。第二の金属１０７表面上に形成した酸化膜上に、カルボン酸，ホスホン酸，リン酸エステル，有機シラン化合物を反応させることにより、プローブ１０１を固定するための所望な官能基を導入することができる。
【００４５】
尚、空間１０６と支持基体１０４との間に絶縁体を設けてもよい。用いる絶縁体に特に制限はないが、微小領域の加工性の点より、蒸着，スパッタリング，ＣＶＤ（Chemical Vapor Deposition），ＰＶＤ（Physical Vapor Deposition）などで薄膜が形成可能な材料が望ましい。この様な材料としては、シリコン，チタン，ベリリウム，ジルコニウム，タングステン，ホウ素，ハフニウム，バナジウム，タンタル，アルミニウム，トリウム，モリブデン，鉄などの炭化物，窒化物，ホウ化物，ケイ化物、または酸化物などが挙げられる。
【００４６】
第二の金属１０７や絶縁体上に導入される官能基についても特に制限はないが、プローブ１０１を固定するための反応基点として、アミノ基，チオール基，カルボキシル基，ヒドロキシル基，アルデヒド基，ケトン基などが挙げられる。さらに、プローブ１０１を固定するための反応効率を高める手法として、二価性の化合物を用いて、ＮＨＳ−エステル基，イミドエステル基，スルフィジル基，エポキシ基，ヒドラジド基などの官能基を導入しても良い。また、増強場内への単分子固定化率を高めるために、アビジン，デンドロン，クラウンエーテルなどの嵩高い化合物を介して、プローブ１０１を固定しても良い。
【００４７】
プローブ１０１も、測定対象の核酸１０８を補足できるものであれば特に制限はない。核酸１０８を直接補足できる様なプローブとしては、ＤＮＡ，ＲＮＡ，ＰＮＡなどの核酸、または、酵素などのタンパク質が挙げられる。また、染色体，核様体，細胞膜，細胞壁，ウイルス，抗原，抗体，レクチン，ハプテン，レセプター，ペプチド，スフィンゴ糖，スフィンゴ糖脂質，アプタマーなどを介して、核酸１０８を補足しても良い。
【００４８】
表面プラズモンの発生に適する共鳴周波数は、金属体表面の自由電子群と光との相互作用によるものである為、金属体１０５の適切な大きさは、照射する光の波長によって異なる。励起光の波長を３００〜８５０ｎｍとすると、金属体の大きさは、幅・高さともに、１０から１０００ｎｍ程度が適しているが、この条件に縛られるものではない。図２（Ａ）の様な円柱が角柱で結ばれ、角柱の間に局在型表面プラズモンが発生する空間２０６があるもの、（Ｂ）の様に、円柱が並んで、最も小さい円柱内に空間２０６があるものなどが挙げられる。また、（Ｃ）の様に、金属体２０５，空間２０６、及び第二の金属２０７以外の領域を、支持基体２０４を構成する材料よりも屈折率が低い材料２０９で覆っても良い。屈折率が低い材料２０９で覆われた領域に、未反応の蛍光色素が入れないため、この蛍光色素由来のバックグランドを低減することができる。
【００４９】
第二の金属上にプローブを固定した核酸分析デバイスの製造方法を、図３を用いて説明する。
【００５０】
（１）第二の金属膜の形成
平滑な支持基体３０４上に第二の金属３０７の薄膜を形成する。平滑な支持基体３０４には、ガラス基板，石英基板，サファイア基板，樹脂基板等が用いられる。金属体３０５を形成した面と反対側の裏面より励起光を照射する必要がある場合には、光透過性に優れた石英基板やサファイア基板を用いればよい。第二の金属３０７は、上記裏面より励起光を照射する場合には、その厚さは薄いほど好ましく、より好ましくは５〜１００ｎｍである。薄膜は、蒸着，スパッタリング，ＣＶＤ，ＰＶＤなどを用いて作られる。
【００５１】
（２）シリコン膜の形成、（３）シリコンのパターニング
第二の金属３０７上に、厚さが５ｎｍ以上のシリコン膜を形成する。薄膜形成方法は、蒸着，スパッタリング，ＣＶＤ，ＰＶＤなどが好ましい。得られたシリコン膜に対して、フォトリソグラフィ，エッチングを施し、金属体３０５間の局在型表面プラズモンが生じる空間３０６を作成するためのパターニングを行う。パターンは、向き合った金属体３０５をアレイ状に配置するための所望のパターンに準じる。例えば、１μｍピッチで向き合った金属体３０５を構成した場合、形成領域を１mm×１mmとすると、１００万反応サイトを形成できる。フォトリソグラフィは、既存のｉ線（波長３６５ｎｍ），ＫｒＦエキシマレーザー（波長２４８ｎｍ），ＡｒＦエキシマレーザー（波長１９３ｎｍ），Ｘ線、又は電子線を光源とした方法を用いることができる。エッチングのパターニングの精度を高めるには、ＲＩＥ（Reactive Ion Etching）を用いることが好ましい。
【００５２】
（４）絶縁膜の形成、（５）絶縁膜のエッチング、（６）シリコンのエッチング
シリコン上にＣＶＤを用いて、絶縁体３１１を形成する。絶縁膜の厚さは、金属体３０５間の距離を制御するものである。金属体３０５間の距離が短い程、局在型表面プラズモンによる蛍光増強効果を高めることができる。絶縁体３１１の好ましい厚さは５０ｎｍ以下、より好ましくは１５ｎｍ以下である。本実施例のように絶縁膜の膜厚により金属体３０５間の距離を制御する方法は、金属体３０５間の距離を１５ｎｍ以下としても製造上のバラツキが小さく好ましい。この様な絶縁膜としては、半導体のゲート電極のサイドウォール（側壁酸化膜）製造プロセスで用いられる二酸化ケイ素や窒化ケイ素が好ましい。本実施例では、絶縁膜を用いるプロセスを示したが、（４）の薄膜形成から（６）のエッチングプロセスでの膜厚を制御できればよく、金属膜で実施しても良い。これらのプロセスで用いられるエッチングについては、微細加工が可能なＲＩＥが望ましい。
【００５３】
（７）金属膜の形成、（８）仕切り板の除去
金属膜の厚さは、金属体３０５の高さを制御するものである。局在型表面プラズモンを効果的に生じる厚さは、計測時に用いる励起波長により異なる。望ましい厚さは１０００ｎｍ以下である。薄膜形成方法としては、蒸着，スパッタリング，ＣＶＤ，ＰＶＤなどを用いることができる。一般的な合金薄膜の形成方法を用いることにより、金属膜の材料として合金を用いることもできる。例えば、合金をターゲットとしたスパッタリング等を用いることができる。また、複数の金属材料による薄膜形成方法を連続して行うことにより、複数種の金属薄膜を積層することもできる。仕切り板の除去は、一般的なウェット（またはドライ）エッチングを行う。具体的には、二酸化ケイ素，窒化ケイ素とともに、フッ酸または、フッ酸を含む溶液を用いる。
【００５４】
（９）レジスト塗布、（１０）パターニング
パターニングの大きさや形状は、局在型表面プラズモンの効果に大きく関わる。図３に示した様な、三角形に類似した形状であれば、三角形の一辺が１０００ｎｍ以下であることが好ましい。レジスト３１３としては、電子線用のネガ型ポジストを用いることができる。具体的には、ＴＥＢＮ−１（株式会社トクヤマ社製）が挙げられる。レジストをスピンナーで塗布した後、ホットプレートにより２〜５分程度プリベイクする。加速電圧５０〜１００ＫＶの電子線で描画した後、乳酸エチル，イソプロパノール、又はエタノールで現像する。
【００５５】
（１１）エッチング、（１２）レジスト除去
パターニングされたレジストをマスクとして、金属体３０５を形成する。パターン精度を高めるには、微細加工が可能なＲＩＥが望ましい。レジスト除去には、広く一般的に用いられるオゾンアッシングのプロセスを用いることができる。
【００５６】
（１３）プローブ固定
プローブ１０１が核酸である場合、固定方法には種々の方法が考えられるが、例として、アミノシラン処理を用いる方法を記述する。第二の金属３０７の酸化膜にアミノシラン処理を行い、アミノ基を導入する。その後、ビオチン−スクシンイミド（Pierce社製ＮＨＳ−Biotin）を反応させた後、ストレプトアビジンを結合させる。次に、予めビオチンを末端に修飾しておいたプローブを結合させることにより、近接した二つの金属体３０５の間にプローブを固定した反応サイトを完成することができる。プローブ１０１が核酸合成酵素の様なタンパク質であっても同様の方法で固定化することができる。具体的には、アミノ化された酸化膜上に二価性試薬であるＮ−（４−Maleimidobutyryloxy）succinimide（同仁化学研究所社製、ＧＭＢＳ）を反応させた後、核酸合成酵素を反応させることにより核酸合成酵素を固定することができる。そのほか、プローブ１０１が核酸かタンパク質かに関わらず、酸化膜上に導入したニトロセルロース，ポリアクリルアミドなどとの物理吸着を利用する方法，ヒスチジンとニッケルイオンやコバルトイオンとの特異的な親和を利用する方法、またはビオチンとアビジンの結合を利用する方法、その他のタンパク質やペプチド間の特異的な親和を利用する方法、などを用いることができる。
【００５７】
次に、絶縁体上にプローブを固定した核酸分析デバイスの製造方法について、図４を用いて、図３との違いを中心に説明する。
【００５８】
（１）絶縁膜の形成
支持基体４０４上に、蒸着，スパッタリング，ＣＶＤ，ＰＶＤなどにより、絶縁膜４１４を形成した後、金属膜４０７を形成する。金属膜４０７は、絶縁膜４１４と金属体４０５との密着性を向上させるものである。絶縁膜４１４として、スピンコータで製膜可能な層間絶縁膜（日立化成工業社製、ＨＳＧ）などを用いても良い。（２）シリコン膜の形成〜（８）仕切り板の除去のプロセスは図３と同様である。
【００５９】
（Ａ）金属膜のエッチング
空間４０６界面に絶縁体４１４を露出させるために、金属膜４０７をエッチングする。エッチングはドライ（または、ウェット）エッチングのどちらでも良いが、加工精度を高めるためには、微細加工が可能なＲＩＥが望ましい。（９）レジスト塗布〜（１３）プローブ固定のプロセスは図３と同様に行う。
【００６０】
核酸分析デバイスの好ましい構成の一例について、図５を参照しながら説明する。支持基体５０１の上に、ナノ構造体を含む反応サイトが格子状に配置されている反応領域５０２が複数搭載されている。反応サイトには、先に述べた、近接した二つの金属体の間にプローブを固定した構造体を用いる。配置の間隔は、解析しようとする核酸試料や、蛍光検出装置の仕様に基づいて定める。例えば、２５mm×７５mmのスライドガラスを支持基体５０１とし、１マイクロ・メートル間隔で格子状に反応サイトを配置した反応領域５０２を５mm×８mmとすると、１領域当たり４０００万種類の核酸分子を解析でき、その領域を８個程度、支持基体５０１上に搭載することができる。したがって、例えば、ＲＮＡの発現解析に用いる場合には、一細胞当たり約４０万分子のＲＮＡが発現していることから、ＲＮＡの発現頻度解析をデジタルカウンティングのように十分正確に行うことができ、一枚の基板上で８解析程度行うことができる。
【００６１】
前記のように、複数の反応領域５０２を支持基体５０１の上に設けたデバイス上での反応は、予め流路５０４を設けた反応チャンバー５０３を光透過性支持基体５０１の上にかぶせることにより達成できる。反応チャンバー５０３は、流路５０４の溝を予め掘ったＰＤＭＳ（Polydimethylsiloxane）等の樹脂基体からなり、デバイス上に張り合わせて使用することになる。具体的に述べると、核酸試料，反応酵素，バッファー，ヌクレオチド基質等を保存・温度管理する温調ユニット５０５，反応液を送り出す分注ユニット５０６，液の流れを制御するバルブ５０７，廃液タンク５０８から構成される。必要に応じ、温調機を配置し、温度制御を行う。反応終了時には、洗浄液が反応チャンバー５０３の流路５０４を通じて供給され、廃液タンク５０８に収納される。流路，バルブ，分注ユニットの構成により、各反応領域５０２での反応を順次行うことも、同時に行うことも可能である。
【００６２】
上に開示した核酸分析デバイスについて局在表面プラズモンの大きさをシミュレーションにより計算した。金属体１０５の物質をルテニウム（Ｒｕ），ロジウム（Ｒｈ），イリジウム（Ｉｒ），パラジウム（Ｐｄ）、および金の上にルテニウムを積層したもの（Ｒｕ／Ａｕ）とした。照射した光の強度と光近接場強度の比を図６に示す。ここで、光近接場強度は支持基体１０４の空間１０６の中央部で測定した。計算は有限要素法（ＦＥＭ）を用い、励起光１１１の波長は５００ｎｍ、支持基体１０４の物質は石英（屈折率：ｎ＝１.４５）、周辺の媒質１０９は水（屈折率：ｎ＝１.３３）とした。検出に十分なＳＮ比を得る為に必要な光近接場強度は４５以上であり、前記の各物質とも大きな局在表面プラズモンを得られることが分かった。
【実施例２】
【００６３】
核酸分析装置の実施例について図７を用いて説明する。本実施例では、核酸分析デバイ
スに対して、ヌクレオチド，蛍光色素を有するヌクレオチド，核酸合成酵素，プライマ及び核酸試料からなる１種類以上の生体分子を供給する手段と、核酸分析デバイスに光を照射する手段と、核酸分析デバイス上において前記ヌクレオチド，核酸合成酵素、及び核酸試料が共存することにより起きる核酸伸長反応により核酸鎖中に取り込まれた蛍光色素の蛍光を測定する蛍光検出手段とを備える。より具体的には、カバープレート７０１と検出窓７０２と溶液交換用口である注入口７０３と排出口７０４から構成される反応チャンバーに前記のデバイス７０５を設置する。なお、カバープレート７０１と検出窓７０２の材質として、ＰＤＭＳ（Polydimethylsiloxane）を使用する。また、検出窓７０２の厚さは０.１７mmとする。ＹＡＧレーザ光源（波長５３２ｎｍ，出力２０ｍＷ）７０６及びＹＡＧレーザ光源（波長３５５ｎｍ，出力２０ｍＷ）７０７から発振するレーザ光７０８及び７０９を、ダイクロイックミラー７１０（４１０ｎｍ以下を反射）によって、前記２つのレーザ光を同軸になるよう調整した後、レンズ７１１によって集光し、その後、プリズム７１２を介してデバイス７０５へ臨界角以上で照射する。本実施例によれば、レーザ照射により、デバイス７０５表面上に存在する金属体において局在型表面プラズモンが発生し、プローブにより捕捉された標的物質の蛍光体は蛍光増強場内に存在することになる。蛍光体はレーザ光で励起され、その増強された蛍光の一部は検出窓７０２を介して出射される。また、検出窓７０２より出射される蛍光は、対物レンズ７１３（×６０，ＮＡ１.３５，作動距離０.１５mm）により平行光束とされ、光学フィルタ７１４により背景光及び励起光が遮断され、結像レンズ７１５により２次元ＣＣＤカメラ７１６上に結像される。
【００６４】
逐次反応方式の場合には、蛍光色素付きヌクレオチドとして、「P.N.A.S. 2006，vol. 103, pp 19635-19640（非特許文献６）」に開示されているような、リボースの３′ＯＨの位置に３′−Ｏ−アリル基を保護基として入れ、また、ピリミジンの５位の位置にあるいはプリンの７位の位置にアリル基を介して蛍光色素と結びつけたものが使用できる。アリル基は、光照射あるいはパラジウムと接触することにより切断されるため、色素の消光と伸長反応の制御を同時に達成することができる。
【００６５】
さらに、本実施例では、「P.N.A.S. 2008，vol. 105，pp 1176-1181（非特許文献７）」に開示されているように、リアルタイムで伸長反応を計測することも可能である。上記のように、本実施例の核酸分析デバイスを用いて核酸分析装置を組み上げることにより、洗浄工程を入れることなく、解析時間の短縮化，デバイス及び分析装置の簡便化が図れ、逐次反応方式のみならず、リアルタイムで塩基の伸長反応を計測することも可能となり、従来技術に対して大幅なスループットの改善が図れる。
【符号の説明】
【００６６】
１０１，２０１，３０１，４０１  プローブ
１０２  蛍光色素
１０３  未反応基質の蛍光色素
１０４，２０４，３０４，４０４，５０１  支持基体
１０５，２０５，３０５，４０５  金属体
１０６，２０６，３０６  局在型表面プラズモンが生じる空間
１０７，２０７，３０７  第二の金属
１０８  核酸
２０９  低屈折率材料
３１０  シリコン
３１１  絶縁体
３１２  仕切り板
３１３  レジスト
４０７  金属膜
４１４  絶縁膜
５０２  反応領域
５０３  反応チャンバー
５０４  流路
５０５  温調ユニット
５０６  分注ユニット
５０７  バルブ
５０８  廃液タンク
７０１  カバープレート
７０２  検出窓
７０３  注入口
７０４  排出口
７０５  デバイス
７０６  ＹＡＧレーザ光源（波長５３２ｎｍ，出力２０ｍＷ）
７０７  ＹＡＧレーザ光源（波長３５５ｎｍ，出力２０ｍＷ）
７０８，７０９  レーザ光
７１０  ダイクロイックミラー
７１１  レンズ
７１２  プリズム
７１３  対物レンズ
７１４  光学フィルタ
７１５  結像レンズ
７１６  ２次元ＣＣＤカメラ
【図１】
2010243223.tif 000003
【図２】
2010243223.tif 000004
【図３】
2010243223.tif 000005
【図４】
2010243223.tif 000006
【図５】
2010243223.tif 000007
【図６】
2010243223.tif 000008
【図７】
2010243223.tif 000009